(57)【要約】【課題】  非破壊検査装置において、誤操作による電源投入を防止すると同時に、電源断中に電力が消費されることも防止することを可能にする。【解決手段】  バッテリ１３に接続された電源スイッチと、バッテリ１３と電源スイッチ１４とに接続され、非破壊検査装置への電源供給経路を選択的に切替え可能な切替え手段１５と、装置内部に備わる回路基板１７上に設置されているＣＰＵ１と、電源スイッチ１４の押下時間を計測する時間計測部１８とを備える非破壊検査装置を提供する。【選択図】      図２
2005351665.tif 000002
【特許請求の範囲】
【請求項１】
携帯型電源を備えた非破壊検査のための装置であって、
操作者によって所定の操作が行われている間のみ、前記携帯型電源からの電力を供給可能な電源スイッチと、
該電源スイッチを介して前記携帯型電源からの電力を前記装置に供給する第１の電力供給経路と、前記電源スイッチを介さずに前記携帯型電源からの電力を前記装置に供給する第２の電力供給経路と、を選択的に切替え可能な切替え手段と、
前記電源スイッチに対する前記所定の操作によって、前記携帯型電源からの電力が前記装置に供給されている時間を計測し、該計測した時間が所定の時間を経過すると、前記切替え手段の前記第１の電力供給経路を前記第２の電力供給経路に切替える時間計測手段と、
を備えることを特徴とする非破壊検査のための装置。
【請求項２】
前記時間計測手段は、前記非破壊検査のための装置を制御するＣＰＵに備わることを特徴とする請求項１に記載の非破壊検査のための装置。
【請求項３】
携帯型電源を備えた非破壊検査のための装置を制御する方法であって、
操作者によって所定の操作が行われている間のみ、前記携帯型電源からの電力を供給可能な電源スイッチを介して、前記携帯型電源からの電力を前記装置に供給している時間を計測し、
該計測した時間が所定の時間を経過すると、前記電源スイッチを介して前記携帯型電源からの電力を前記装置に供給する第１の電力供給経路を、前記電源スイッチを介さずに前記携帯型電源からの電力を前記装置に供給する第２の電力供給経路に切替える、
ことを特徴とする非破壊検査のための装置を制御する方法。
【請求項４】
携帯型電源を備えた非破壊検査のための装置を制御するためのプログラムであって、
操作者によって所定の操作が行われている間のみ、前記携帯型電源からの電力を供給可能な電源スイッチを介して、前記携帯型電源からの電力を前記装置に供給している時間を計測する時間計測処理と、
該計測した時間が所定の時間を経過すると、前記電源スイッチを介して前記携帯型電源からの電力を前記装置に供給する第１の電力供給経路を、前記電源スイッチを介さずに前記携帯型電源からの電力を前記装置に供給する第２の電力供給経路に切替える切替え処理と、
をコンピュータに実行させることを特徴とする非破壊検査のための装置を制御するためのプログラム。
【請求項５】
携帯型電源を備えた情報処理装置であって、
所定の操作が行われている間のみ、電力を供給可能な電源スイッチと、
該電源スイッチを介して前記携帯型電源からの電力を前記装置に供給する第１の電力供給経路と、前記電源スイッチを介さずに前記携帯型電源からの電力を前記装置に供給する第２の電力供給経路と、を選択的に切替え可能な切替え手段と、
前記携帯型電源からの電力が前記装置に供給されている時間を計測し、該計測した時間が所定の時間を経過すると、前記切替え手段の前記第１の電力供給経路を前記第２の電力供給経路に切替える時間計測手段と、
を備えることを特徴とする情報処理装置。
【発明の詳細な説明】
【技術分野】
【０００１】
本発明は、バッテリ等の携帯型電源を備えた非破壊検査装置、その制御方法及びプログラムに関する。
【背景技術】
【０００２】
資材や部品、構造物などの検査対象物を、分解や破壊することなく、欠陥の有無や内部構造を検査するために、非破壊検査装置が使用されている。
例えば、超音波探傷検査装置は、探触子で生成した超音波を、検査対象物に対して射出し、反射作用により検査対象物から戻ってきたエコーを検出することによって検査対象物内部の傷等を探し出す装置である。
【０００３】
近年では、超音波探傷検査装置等の非破壊検査装置においても、小型化・軽量化が進み、携帯型の非破壊検査装置が多くの用途に使用されている。
特許文献１には、設置型と携帯型の各装置に選択して使用でき、一台で二役に対応できる超音波探傷検査装置等の非破壊検査装置について開示されている。
【特許文献１】特開平１１−１４８９２３号公報
【発明の開示】
【発明が解決しようとする課題】
【０００４】
携帯型の非破壊検査装置では、誤って電源スイッチを押下しないように、電源スイッチに長押し機能が設けられているものが多い。長押し機能とは、例えば、装置内部に備わるＣＰＵや電源部に備わる電源監視用マイコンによって、電源スイッチの押下時間を監視し、一定時間電源スイッチが押下された状態の場合に、電源スイッチがＯＮとなる機能である。
【０００５】
したがって、上述のように、非破壊検査装置は、電源断の状態であっても電源スイッチの長押しを検知するために、ＣＰＵの一部の機能が動作した状態（スリープ状態）、又は、電源部に備わる電源監視用マイコンは常時動作した状態となり、電源断の状態であっても一定の電力が消費されることとなる。
一方、携帯型の非破壊検査装置の電源には、主にバッテリが使用されるので、限られたバッテリの電力が、電源断の状態においても消費されてしまうために、実際に非破壊検査装置を使用する時間が短くなるという問題があった。
【０００６】
また、例えば、バッテリを接続した状態で長時間電源断状態とした場合、電源断中にバッテリの電力が全て消費され、次に電源を投入する際に電源を投入できなくなってしまう等の問題が発生していた。
本発明は、上述した問題に鑑みてなされたものであり、その解決しようとする課題は、誤操作による電源投入を防止すると同時に、電源断中に電力が消費されることも防止する非破壊検査のための装置、その制御方法及びプログラムを提供することである。
【課題を解決するための手段】
【０００７】
請求項１に記載の発明は、携帯型電源を備えた非破壊検査のための装置であって、操作者によって所定の操作が行われている間のみ、前記携帯型電源からの電力を供給可能な電源スイッチと、該電源スイッチを介して前記携帯型電源からの電力を前記装置に供給する第１の電力供給経路と、前記電源スイッチを介さずに前記携帯型電源からの電力を前記装置に供給する第２の電力供給経路と、を選択的に切替え可能な切替え手段と、前記電源スイッチに対する前記所定の操作によって、前記携帯型電源からの電力が前記装置に供給されている時間を計測し、該計測した時間が所定の時間を経過すると、前記切替え手段の前記第１の電力供給経路を前記第２の電力供給経路に切替える時間計測手段と、を備えることを特徴とする非破壊検査のための装置である。
【０００８】
請求項１に記載の発明によると、操作者が前記電源スイッチに対して所定の操作をすることによって、初めて、前記第１の電力供給経路を介して前記装置に電力が供給されるので、前記所定の操作をする前の状態、すなわち、電源断の状態での前記携帯型電源の前記装置による電力消費を防止することが可能となる効果を奏する。
さらに、前記第１の電力供給経路を介して前記装置に電力が供給される時間は、前記時間計測手段によって計測され、所定の時間を経過して初めて、前記第２の電力供給経路に切り替わり、それ以後は、前記所定の操作を行なわなくても、携帯型電源からの電力が前記装置に継続的に供給されるので、電源スイッチの誤操作によって前記装置に電源投入（電力が供給）されることを防止することが可能となる効果を奏する。
【０００９】
請求項２に記載の発明は、前記時間計測手段は、前記非破壊検査のための装置を制御するＣＰＵに備わることを特徴とする請求項１に記載の非破壊検査のための装置である。
請求項２に記載の発明によると、請求項１に記載の発明の効果に加えて、前記時間計測手段が、前記ＣＰＵに備わることによって、前記装置の構成を小さくすることが可能となる効果を奏する。
【００１０】
請求項３に記載の発明は、携帯型電源を備えた非破壊検査のための装置を制御する方法であって、操作者によって所定の操作が行われている間のみ、前記携帯型電源からの電力を供給可能な電源スイッチを介して、前記携帯型電源からの電力を前記装置に供給している時間を計測し、該計測した時間が所定の時間を経過すると、前記電源スイッチを介して前記携帯型電源からの電力を前記装置に供給する第１の電力供給経路を、前記電源スイッチを介さずに前記携帯型電源からの電力を前記装置に供給する第２の電力供給経路に切替える、ことを特徴とする非破壊検査のための装置を制御する方法である。
【００１１】
請求項４に記載の発明は、携帯型電源を備えた非破壊検査のための装置を制御するためのプログラムであって、操作者によって所定の操作が行われている間のみ、前記携帯型電源からの電力を供給可能な電源スイッチを介して、前記携帯型電源からの電力を前記装置に供給している時間を計測する時間計測処理と、該計測した時間が所定の時間を経過すると、前記電源スイッチを介して前記携帯型電源からの電力を前記装置に供給する第１の電力供給経路を、前記電源スイッチを介さずに前記携帯型電源からの電力を前記装置に供給する第２の電力供給経路に切替える切替え処理と、をコンピュータに実行させることを特徴とする非破壊検査のための装置を制御するためのプログラムである。
【００１２】
請求項３及び請求項４に記載の発明によっても、請求項１に記載の発明と同様に、操作者が前記電源スイッチに対して所定の操作をすることによって、初めて、前記第１の電力供給経路を介して前記装置に電力が供給されるので、前記所定の操作をする前の状態、すなわち、電源断の状態での前記携帯型電源の前記装置による電力消費を防止することが可能となる効果を奏し、さらに、前記第１の電力供給経路を介して前記装置に電力が供給される時間が、、所定の時間を経過して初めて、前記第２の電力供給経路に切り替わり、それ以後は、前記所定の操作を行なわなくても、携帯型電源からの電力が前記装置に継続的に供給されるので、電源スイッチの誤操作によって前記装置に電源投入（電力が供給）されることを防止することが可能となる効果を奏する。
【００１３】
請求項５に記載の発明は、携帯型電源を備えた情報処理装置であって、所定の操作が行われている間のみ、電力を供給可能な電源スイッチと、該電源スイッチを介して前記携帯型電源からの電力を前記装置に供給する第１の電力供給経路と、前記電源スイッチを介さずに前記携帯型電源からの電力を前記装置に供給する第２の電力供給経路と、を選択的に切替え可能な切替え手段と、前記携帯型電源からの電力が前記装置に供給されている時間を計測し、該計測した時間が所定の時間を経過すると、前記切替え手段の前記第１の電力供給経路を前記第２の電力供給経路に切替える時間計測手段と、を備えることを特徴とする情報処理装置。
【発明の効果】
【００１４】
以上のように、本発明によると、誤操作による電源投入を防止すると同時に、電源断中に電力が消費されることも防止する非破壊検査のための装置、その制御方法及びプログラムを提供することが可能となる。
【発明を実施するための最良の形態】
【００１５】
以下、本発明の実施形態について、図１から図４に基づいて説明する。
図１は、本実施例に係る非破壊検査装置の全体構成の例を示している。
本発明の実施例に係る非破壊検査装置は、非破壊検査装置を構成する各要素を制御するＣＰＵ１と、ＣＰＵからの指示に応じてパルス信号を生成するパルサ２と、パルサ２からのパルス信号を超音波に変換して被検体４に出射し、被検体４からのエコーを検出する電気信号に変換する探触子３と、探触子３によって検出したエコー信号を受信するレシーバ５と、レシーバ５からのエコー信号をデジタル信号に変換するＡ／Ｄコンバータ６と、デジタル化されたエコー信号（波形データ）を一時的に記憶するための波形メモリ７と、波形メモリ７に記憶されている波形データに対して所定のデジタル処理を行なう画像処理部８と、所定のデジタル処理が施された波形データをアナログ信号に変換するＤ／Ａコンバータ９と、波形データ等を表示するモニタ１０と、ＣＰＵ１を動作させるために必要なプログラムやデータ等を一時的に記憶するメモリ１１と、波形メモリ７に記憶されているデータを記憶するための記憶装置１２とを少なくとも備える。
【００１６】
さらに、本実施例に係る非破壊検査装置は、当該装置に対して電力を供給するためのバッテリ１３と、バッテリ１３から非破壊検査装置への電力供給を制御するための電源スイッチ１４及び切替え部１５を備えている。
パルサ２は、ＣＰＵからの指示に応じてパルス信号を生成して探触子３に出力する。探触子３は、パルサ２からのパルス信号を超音波に変換して被検体４に対して出射し、被検体４に入射された超音波のエコーを電気信号に変換してレシーバ５に出力する。
【００１７】
レシーバ５は、ＣＰＵ１からの指示に応じて、エコー信号のゲインを調整し、Ａ／Ｄコンバータ６に出力する。Ａ／Ｄコンバータ６によってデジタル化されたエコー信号は、一時的に波形メモリ７に記憶され、画像処理部８によって所定のデジタル処理が施され、Ｄ／Ａコンバータ９を介してモニタ１０に表示される。
また、波形メモリ７に記憶されているエコー信号は、所定のデジタル処理が施された後、ＣＰＵ１の指示に応じて、記憶装置１２に記憶され、専用線やネットワーク等によって接続された周辺機器１６に送信される。
【００１８】
図２は、本実施例に係る非破壊検査装置の電源制御部の構成例を示している。
同図に示す電源制御部は、バッテリ１３に接続された電源スイッチ１４と、バッテリ１３と電源スイッチ１４とに接続され、非破壊検査装置への電源供給経路を選択的に切替え可能な切替え手段１５と、図１に示した非破壊検査装置内部に備わる各構成要素を設置する回路基板１７上に設置されているＣＰＵ１と、電源スイッチ１４の押下時間を計測する時間計測部１８とを備えている。
【００１９】
切替え手段１５は、ＣＰＵ１からの指示に応じて、バッテリ１３から回路基板１７へのの電力供給経路を切替える。すなわち、バッテリ１３から電源スイッチ１４を介して回路基板１７に電力を供給する経路と、バッテリ１３から電源スイッチ１４を介さずに回路基板１７に電力を供給する経路とをＣＰＵ１の指示信号に応じて切替える手段である。
ここで、切替え回路１７は、ＣＰＵ１の指示信号に応じて切替え処理を行なうために、例えば、トランジスタ等を用いた公知の電気回路によって構成される。
【００２０】
時間計測部１８は、ＣＰＵ１の指示によって時間計測を開始し、計測時間が所定の時間となると、例えばＣＰＵ１に割り込み信号を送信して所定の時間が経過したことを通知する。
なお、同図に示す時間計測部１８は、ＣＰＵ１とは独立して動作する構成としているが、ＣＰＵ１の機能（例えば、ＣＰＵタイマー）によって実現してもよい。この場合、ＣＰＵ１が起動すると同時にＣＰＵタイマーも動作するようし、ＣＰＵ１自身が、ＣＰＵタイマーによる計測時間を監視すればよい。
【００２１】
電源断の状態では、同図に示すように、電源スイッチ１４はオープン状態となっている。また、切替え回路１５も、電源スイッチ１４側と接続されている状態となっているので、バッテリ１３との接続端子は、オープン状態となる。
したがって、バッテリ１３と回路基板１７とは、回路的に完全に切り離された状態となっているので、バッテリ１３の電力は全く消費されないこととなる。
【００２２】
次に、操作者によって非破壊検査装置に電源投入する場合を考える。
操作者が、電源スイッチ１４を押下すると、バッテリ１３は電源スイッチ１４及び切替え手段１５を介して回路基板１７と接続されるので、回路基板１７にバッテリ１３からの電力が供給される。
回路基板１７に電力が供給されると、ＣＰＵ１及び時間計測部１８にも電力が供給されるので、ＣＰＵ１及び時間計測部１８が動作可能な状態となる。ＣＰＵ１及び時間計測部１８が動作可能になると、ＣＰＵ１は、時間計測部１８に対して所定の時間だけ時間を計測するように指示を行なう。
【００２３】
時間計測部１８は、ＣＰＵ１の指示に応じて時間の計測を開始し、所定の時間が経過すると、ＣＰＵ１に割り込み信号を送信する等によって所定の時間が経過したことを通知する。
時間計測部１８から所定の時間が経過した旨の通知を受け取ると、ＣＰＵ１は、切替え手段１５に対して電力経路の変更を指示する。切替え手段１５は、ＣＰＵ１の指示に応じて、バッテリ１３からの電力供給経路を切替える。すなわち、バッテリ１３から電源スイッチ１４を介さずに回路基板１７に電力を供給する経路に切替える。
【００２４】
以上に説明した動作が完了すると、操作者が電源スイッチ１４を押下することをやめても、バッテリ１３から回路基板１７に電力が供給され続けることとなる。
図３は、本実施例に係る電源制御部の電源投入時の処理概要のフローチャートを示す図である。
操作者が、非破壊検査装置に備わる電源スイッチ１４を押下すると（ステップＳ３０１）、バッテリの電力は、電源スイッチ１４及び切替え手段１５を介して回路基板１７に供給され、ＣＰＵ１が起動する（ステップＳ３０２）。
【００２５】
ＣＰＵ１が起動すると、ＣＰＵ１は、時間計測部１８に対して時間計測の指示信号を送信し、時間計測処理を開始する（ステップＳ３０３）。そして、ＣＰＵ１は、時間計測部１８から一定間隔毎に計測時間を読出し、予め設定された時間と比較する（ステップＳ３０４）。
ここで、ＣＰＵ１が起動した状態とは、非破壊検査装置内の各構成要素を動作するための各種ドライバ等の初期化やＯＳ（Ｏｐｅｒａｔｉｎｇ  Ｓｙｓｔｅｍ）等の起動まで完了している必要はなく、ＣＰＵ１単体の初期化が完了して動作可能な状態か、または、時間計測部１８を動作させて時間計測が可能な状態であればよい。
【００２６】
ステップＳ３０４の処理によって、ＣＰＵ１が一定時間経過したと判断すると、切替え手段１５に対して経路の切替え指示を行ない、バッテリ１３から回路基板１７への電力供給経路が切替えられ（ステップＳ３０５）、電源投入処理が完了する（ステップＳ３０６）。
ステップＳ３０４において、予め設定された時間を経過していない場合には、一定間隔毎にステップＳ３０４の処理が繰り返えされる。
【００２７】
ここで、操作者が、電源スイッチを押下することを中断すると（ステップＳ３０７）、回路基板１７への電力供給も中断するので電源断となる（ステップＳ３０８）。
以上のように、非破壊検査装置が電源断の状態では、バッテリ１３と非破壊検査装置を構成する各要素とは電気的に完全に切り離される状態となるので、非破壊検査装置を構成する各要素が、バッテリ１３の電力を消費することを防止することが可能となる。
【００２８】
同時に、操作者は、電源スイッチ１４を一定時間だけ長押しをしなくてはならないので、誤作動による電源投入を防止することが可能となる。
また、電源監視のためにマイコンやＣＰＵ、ＤＳＰ（Ｄｉｇｉｔａｌ  Ｓｉｇｎａｌ  Ｐｒｏｃｅｓｓｏｒ）等を設ける必要なくなるので、装置全体の回路構成（または、回路基板のサイズ）が大きくなることを防止し、コストが高くなることを抑えることが可能となる。
【００２９】
さらに、電源制御のための専用の回路等を要しないため、非破壊検査装置の構成が大きくなることを防止できると共に、より安価に作成することができる。
図４は、本実施例に係る電源制御部の電源断時の処理概要のフローチャートを示す図である。
操作者が、非破壊検査装置に備わる電源スイッチ１４を押下すると（ステップＳ４０１）、電源スイッチ１４からの割り込み信号が、ＣＰＵ１に対して割り込まれる。ＣＰＵ１は、電源スイッチ１４からの割り込み信号に応じて、時間計測部１８に時間計測の指示信号を送り、時間計測部１８で時間の計測が開始される（ステップＳ４０２）。
【００３０】
時間計測部１８での時間計測が開始されると、ＣＰＵ１は、時間計測部１８から一定間隔毎に計測時間を読出し、予め設定された時間と比較する（ステップＳ４０３）。
ステップＳ４０４において、ＣＰＵ１が、予め設定された時間を経過したと判断すると、切替え手段１５に対して経路の切替え指示を行ない、バッテリ１３から回路基板１７への電力経路が切替えられ（ステップＳ４０５）、電源断の処理が完了する（ステップＳ４０６）。
【００３１】
ステップＳ４０３において、予め設定された時間を経過していない場合には、一定間隔毎にステップＳ４０３の処理が繰り返えされる。
ここで、操作者が、電源スイッチを押下することを中断すると（ステップＳ４０７）、ＣＰＵ１は、時間計測部１８に対して時間計測の中止を指示し、ＣＰＵ１自身の時間計測処理も中止して電源断の処理が停止される（ステップＳ４０８）。
【００３２】
本実施例において、時間計測部１８は、ＣＰＵ１と独立した構成要素として説明したが、ＣＰＵ１内部に時間計測部１８を設け、例えば、ＣＰＵ１に備わるＣＰＵタイマーを利用して実現してもよい。
また、バッテリ１３から非破壊検査装置を構成する各要素への電力の供給は、回路基板１７を介して行なわれるものとして説明したが、切替え手段１５から直接に非破壊検査装置を構成する各要素に電力を供給してもよい。
【００３３】
また、本発明は非破壊検査装置だけではなく、例えばＰＣ（パーソナルコンピュータ）などの携帯型電源を備える情報処理装置に対しても適用が可能である。
【図面の簡単な説明】
【００３４】
【図１】本実施例に係る非破壊検査装置の全体構成の例を示す図である。
【図２】本実施例に係る非破壊検査装置の電源制御部の構成例を示す図である。
【図３】本実施例に係る電源制御部の電源投入時の処理概要を示すフローチャートである。
【図４】本実施例に係る電源制御部の電源断時の処理概要を示すフローチャートである。
【符号の説明】
【００３５】
１      ・・・  ＣＰＵ
２      ・・・  パルサ
３      ・・・  探触子
４      ・・・  被検体
５      ・・・  レシーバ
６      ・・・  Ａ／Ｄコンバータ
７      ・・・  波形メモリ
８      ・・・  画像処理部
９      ・・・  Ｄ／Ａコンバータ
１０      ・・・  モニタ
１１      ・・・  メモリ
１２      ・・・  記憶装置
１３      ・・・  バッテリ
１４      ・・・  電源スイッチ
１５      ・・・  切替え部
１６      ・・・  周辺機器
１７      ・・・  回路基板
１８      ・・・  時間計測部
【図１】
2005351665.tif 000003
【図２】
2005351665.tif 000004
【図３】
2005351665.tif 000005
【図４】
2005351665.tif 000006